【事件の表示】
　平成　３年特許願第　４７１０１号「ファクシミリ放送受信機」拒絶査定に対する審判事件［平成　４年１０月　８日出願公開、特開平　４−２８４０５４］について、次のとおり審決する。
【結　論】
　本件審判の請求は、成り立たない。
【理　由】
１　手続の経緯・本願発明
　本願は、平成３年３月１３日に出願されたものであって、その請求項１に係る発明（以下「本願発明」という）は、平成１２年５月２２日付け、及び平成１２年１０月２日付け手続補正により補正された明細書及び図面の記載からみて、特許請求の範囲の請求項１に記載された次のとおりのものである。
「【請求項１】　ディジタル方式のファクシミリ放送信号を順次待ち受け受信する受信手段と、前記受信手段で受信するディジタル方式のファクシミリ放送番組を複数予約登録することができる予約登録用案内画面の表示を要求する手段と、前記予約登録を取消ための予約取消用案内画面の表示を要求する手段と、前記予約登録された複数の番組から任意の番組を選択して読出すための読出用案内画面の表示を要求する手段と、前記各案内画面を表示するためのディスプレイ手段と、前記受信手段で受信した信号のデータ処理を行うデータ処理手段と、前記処理データが制御信号データか画像信号の圧縮データかを判別するデータ判別手段と、前記画像信号の圧縮データを復号して画像信号に変換処理する受画処理手段と、前記制御信号データから番組番号、ページ番号等を検出するための信号処理を行う制御信号処理手段と、前記復号された画像信号を映像信号に変換する表示処理手段と、前記ディスプレイ手段に表示する各案内画面のデータを記憶する第１の記憶手段と、前記各案内画面に表示される予約番組番号などの内容を示すデータを記憶する第２の記憶手段と、前記受信手段で受信したディジタル方式のファクシミリ放送データを記憶するための第３の記憶手段と、前記画像信号をプリントアウトするためのプリンタと、前記各記憶手段と各処理手段に対する制御指示を行う制御部と、前記制御部から制御信号を出力するように指示する信号を入力するための信号入力手段とを備え、順次待ち受け受信状態に保持される前記受信手段で受信するディジタル方式のファクシミリ放送番組を前記ディスプレイ手段により画面表示される予約登録用案内画面で指定して予約の登録を行い、前記制御信号処理手段により検出された番組番号が前記予約登録された番組の予約データと一致するときは、当該番組のデータを前記第３の記憶手段に記憶し、前記読出用案内画面で選択して前記第３の記憶手段から読出し指示された番組を前記ディスプレイ画面に表示するようにするとともに、前記予約登録された複数の番組を受信した順に前記プリンタでプリントアウトするようにしたことを特徴とするファクシミリ放送受信機。」
２　引用刊行物
　これに対して、原査定の拒絶理由で引用した特開平１−２３６７６０号公報（平成１年９月２１日出願公開。以下「引用例１」という。）には、「ファクシミリ放送の番組予約システム」の発明に関し、次の事項が記載されている。
 (1)「放送電波信号から文字放送信号を取り出す文字放送受信機と、当該文字放送受信機によって得られた文字放送信号を表示するモニタ装置と、上記放送電波信号からファクシミリ信号を取り出すファクシミリ放送受信機と、当該ファクシミリ放送受信機によって得られたファクシミリ信号を印字出力するプリンタ装置とを備えた複合受信システムにおいて、
　ファクシミリ放送の番組一覧表でなる文字放送番組の受信表示時においてファクシミリ放送の番組予約モードとするモード選択キーと、上記モニタ装置の表示画像上に重畳表示されたカーソルを移動させるカーソル移動キーと、予約すべきファクシミリ放送番組を取り込む登録キーとを上記文字放送受信機の操作入力手段に設けると共に、
　上記文字放送受信機から与えられる予約番組情報を格納し、その予約番組の受信時間の間、上記ファクシミリ放送受信機を動作させるファクシミリ放送番組予約部とを設け、
　上記文字放送受信機における制御手段が、上記モード選択キーの押下時に上記モニタ装置に表示されているファクシミリ放送の番組一覧表におけるいずれかのファクシミリ放送番組に対してカーソルを重畳表示し、上記カーソル移動キーの押下に応じてカーソルが指示するファクシミリ放送番組を変更し、上記登録キーが押下されたときにカーソルが指示しているファクシミリ放送番組についての情報を予約番組情報として上記ファクシミリ放送番組予約部に転送することを特徴とするファクシミリ放送の番組予約システム。」（１頁左下欄５行〜右下欄１６行）
 (2)「本発明は、ファクシミリ放送の番組予約システムにかかり、特にファクシミリ放送の番組一覧表をモニタ装置に表示可能な番組予約システムに関する。」（１頁右下欄１９行〜２頁左上欄３行）
 (3)「ファクシミリ放送受信機３は、まず受信アンテナ１によって受信された受信信号から当該ファクシミリ受信機３の操作パネルによって指示されたチャンネルを選局し、選局されて得られた信号をＦＭ復調してファクシミリ信号のＦＭ変調信号及び音声信号を取り出し、その後、ファクシミリ信号ののＦＭ変調信号を弁別し、このファクシミリ信号のＦＭ変調信号をＦＭ復調してファクシミリ信号を得てプリンタ装置７に与えて印字出力させる。」（３頁右下欄２行〜１０行）
 (4)「ユーザがファクシミリ放送番組を予約する場合には、文字放送受信機４を動作させて文字放送番組を受信状態としてモニタ装置６に表示させた後、モード選択キー５ａを押下する。このとき、文字放送受信機４のＣＰＵ４ａは、第２図に示すファクシミリ番組予約プログラムを開始し、ステップＳＰ１において受信中の文字放送番組がファクシミリ放送番組の一覧表の番組か否かを判別する。（中略）表示中の文字放送番組がファクシミリ放送の番組一覧表であると、第３図に示すような表示されているファクシミリ放送番組一覧表ＴＡＢの放送時間枠上の初期位置にカーソルＣＵＲを重畳表示させる。（中略）このようにカーソルＣＵＲが表示された段階では、ユーザはキーパッド５上のアップキー５ｂまたはダウンキー５ｃを押下してカーソルＣＵＲの位置を変更させ、カーソル位置が所望のファクシミリ放送番組となったところで、再度モード選択キー５ａを押下すれば良い。」（４頁右上欄３行〜左下欄１１行）
 (5)「ＣＰＵ４ａはカーソルＣＵＲが表示されている放送枠についてのパターンデータを、画像上のヘッダ部ＨＥＡに表示されているチャンネル番号、月日、曜日等のパターンデータと共にファクシミリ放送番組予約部８に転送し、その後、当該プログラムを終了させる。このとき、ファクシミリ放送番組予約部８の内蔵するＣＰＵ８ａは、転送されてきたパターンデータから、チャンネル（ネットワーク）、月日、曜日を得ると共に、放送枠から放送開始時刻及び終了時間を得てメモリ８ｂに格納する。」（５頁左上欄１０行〜２０行）
 (6)「この後は、従来のタイマ予約動作と同様に、タイマ８ｃによる現在時刻が予約されたファクシミリ放送番組の開始時刻になったか否かを監視し、番組の開始時刻になるとファクシミリ放送受信機３を起動させ、また、起動後は現在時刻が終了時刻になったか否かを監視し、番組の終了時刻になるとファクシミリ放送受信機３の動作を停止させる。」（５頁右上欄１行〜７行）
　同じく原査定の拒絶理由で引用した特開昭６１−２８８６７７号（昭和６１年１２月１８日出願公開、以下、「引用例２」という。）には、「文字放送受信機」の発明に関し、次の事項が記載されている。
 (7)「本発明は、テレビジョン映像信号の垂直帰線消去期間を利用し、その一水平走査期間を単位長とするデータパケットにより伝送されてくる文字信号を受信する文字放送受信機に係り、詳しくは所望の番組の内容を記憶しておいて所望時に操作部の操作によりその番組内容が所要のモードで印字されるようにしたプリンタ付き文字放送受信機に関する。」（１頁右下欄５行〜１２行）
 (8)「受信を希望する番組の予約は、操作部１０の予約キー１０ａ、およびその他の所要のきー（数字キー等）を操作して、データメモリ３ａ、３ｂ〜３ｎのいずれかを選択しながら、マガジン番号、番組番号、頁を指定することによって行う。」（３頁左上欄１４行〜１９行）
 (9)「予約指定した番組データが到来したときは、ＣＰＵ８の指令によりデータ取り込み部２が選択的に取り込み動作し、その番組データがデータメモリ３に記憶される。データメモリ３が複数個あるので、複数の番組データが記憶される。」（３頁右上欄９行〜１４行）
 (10)「次に記憶された番組データを印字記録する場合は、印字用キー１０ｂおよびその他数字キー等の所要キーを操作して、印字箇所や印字モードを指定する。印字モードは種々考えられる（中略）この実施例での印字モードを示すパラメータＰｎとその機能は次に示す通りである。（中略）Ｐｎ「１」：予約指定によりデータメモリ３に記憶されている番組内容をすべて印字。」（３頁左下欄６行〜２０行）
３　対比・判断   
　そこで、本願発明と引用例１に記載された発明における複合受信システム（以下、「引用例１に記載された発明」という。）とを対比すると、
 (1)引用例１に記載された発明は、モード選択キー５ａ（予約登録用案内画面の表示を要求する手段に相当）を押下することにより、文字放送受信機４で受信したファクシミリ放送の番組一覧表をモニタ装置６（ディスプレイ手段に相当）に表示し、表示中の番組一覧表の中から、カーソルＣＵＲにより所望の番組を選択し、ファクシミリ放送番組を予約し（上記２(1)、(4) 、(5)参照）、予約したファクシミリ放送番組の開始時刻になったときファクシミリ放送受信機３を起動し、終了時刻になったときその動作を停止させるものであり（上記２(1)、(6)参照）、明記はされてはいないが、カーソルＣＵＲにより所望の番組を複数選択することにより複数番組の予約が可能であることは当業者に明らかであるから、ファクシミリ放送信号がディジタル信号であること、ディスプレイ手段は予約登録画面に加え、予約取消用案内画面及び読出用案内画面の「各案内画面」を表示することを除き、「ファクシミリ放送信号を順次待ち受け受信する受信手段」、「前記受信手段で受信するファクシミリ放送番組を複数予約登録することができる予約登録用案内画面の表示を要求する手段」、及び「案内画面を表示するためのディスプレイ手段」備える点で本願発明と一致する。
(2)引用例１に記載された発明は、カーソルＣＵＲで選択したファクシミリ放送番組をファクシミリ放送番組予約部８のメモリ８ｂに格納するものである（上記２(1)、(5)参照）から、「前記案内画面に表示される予約番組番号などの内容を示すデータを記憶する記憶手段」を備える点で本願発明と一致する。
(3)引用例１に記載された発明は、受信したファクシミリ信号をプリンタ装置７で印字出力するものである（上記２(1)、(3)参照）から、「前記画像信号をプリントアウトするためのプリンタ」を備える点で、本願発明のファクシミリ放送受信機と一致する。
(4)引用例１に記載された発明は、前記(1)で述べたように、受信したファクシミリ放送の番組一覧表をモニタ装置６に表示して所望の番組を予約登録し、予約したファクシミリ放送番組を受信し、プリンタ装置７でプリントアウトするものであり、複数の番組を予約した場合には、タイマ８ｃにより順次待ち受け受信され、受信された複数の番組はプリンタ装置で順次プリントアウトされるものであることが当業者に明らかであるから、予約した番組を選択的に受信記憶するための構成である「前記制御信号処理手段により検出された番組番号が前記予約登録された番組の予約データと一致するときは、当該番組のデータを前記第３の記憶手段に記憶」する構成、及び読出指示のための構成である「前記第３の記憶手段から読出し指示された番組を前記ディスプレイ画面に表示するようにする」構成を除き、「順次待ち受け受信状態にされる前記受信手段で受信するファクシミリ放送番組を前記ディスプレイ手段により画面表示される予約登録用案内画面で指定して予約の登録を行い、前記予約登録された複数の番組を前記プリンタでプリントアウトするようにした」点で、本願発明と一致する。
　
　以上総合すると、両者は、
「ファクシミリ放送信号を順次待ち受け受信する受信手段と、前記受信手段で受信するファクシミリ放送番組を複数予約登録することができる予約登録用案内画面の表示を要求する手段と、案内画面を表示するためのディスプレイ手段と、前記案内画面に表示される予約番組番号などの内容を示すデータを記憶する記憶手段と、前記画像信号をプリントアウトするためのプリンタとを備え、順次待ち受け受信状態にされる前記受信手段で受信するファクシミリ放送番組を前記ディスプレイ手段により画面表示される予約登録用案内画面で指定して予約の登録を行い、前記予約登録された複数の番組を前記プリンタでプリントアウトするようにしたファクシミリ放送受信機」である点で一致し、次の各点で相違する。
(あ)本願発明は、「予約登録用案内画面の表示を要求する手段」に加え、「前記予約登録を取消ための予約取消用案内画面の表示を要求する手段と、前記予約登録された複数の番組から任意の番組を選択して読出すための読出用案内画面の表示を要求する手段」を備え、ディスプレイ手段は、「前記各案内画面」表示するものであり、また「前記ディスプレイ手段に表示する各案内画面のデータを記憶する第１の記憶手段」を備えているのに対して、引用例１に記載された発明は、そのような構成を備えていない点。
(い)本願発明は、「前記受信手段で受信した信号のデータ処理を行うデータ処理手段と、前記処理データが制御信号データか画像信号の圧縮データかを判別するデータ判別手段と、前記画像信号の圧縮データを復号して画像信号に変換処理する受画処理手段」を備え、「デジタル方式のファクシミリ放送信号」を受信するものであり、また、「前記復号された画像信号を映像信号に変換する表示処理手段」を備えているのに対して、引用例１に記載された発明は、そのような構成を備えることについて明記されていない点。
(う)本願発明は、「前記制御信号データから番組番号、ページ番号等を検出するための信号処理を行う制御信号処理手段」と、「前記受信手段で受信したディジタル方式のファクシミリ放送データを記憶するための第３の記憶手段」を備え、「前記制御信号処理手段により検出された番組番号が前記予約登録された番組の予約データと一致するときは、当該番組のデータを前記第３の記憶手段に記憶し、前記読出用案内画面で選択して前記第３の記憶手段から読出し指示された番組を前記ディスプレイ画面に表示するようにするとともに」、前記予約登録された複数の番組を「受信した順に」プリントアウトするものであるのに対して、引用例１に記載された発明は、そのような構成を備えていない点。
(え)本願発明は、「前記各記憶手段と各処理手段に対する制御指示を行う制御部と、前記制御部から制御信号を出力するように指示する信号を入力するための信号入力手段」を備えているのに対して、引用例１に記載された発明は、そのような構成を備えていない点。
　そこで、まず、相違点(あ)について検討すると、
　表示要求手段を用いて予約取消用案内画面や予約登録された複数の番組から任意の番組を選択して読み出すための読出用案内画面をディスプレイ手段に表示し、予約登録内容を取り消し、あるいは、任意の番組を選択して読み出すようにすることは、例えば、予約機能を備えたビデオ記憶装置等にみられるように当業者に周知の事項であり、また、記憶手段に記憶しておいた案内画面データを用いて、各案内画面をディスプレイ手段に表示するようなことも、当業者に周知の技術手段にすぎないから、引用例１に記載された発明において、「予約登録用案内画面の表示を要求する手段」に加え、「前記予約登録を取消ための予約取消用案内画面の表示を要求する手段と、前記予約登録された複数の番組から任意の番組を選択して読出すための読出用案内画面の表示を要求する手段」を備えるものとし、また、ディスプレイ手段は「前記各案内画面を表示する」ものとし、更に、「前記ディスプレイ手段に表示する各案内画面のデータを記憶する第１の記憶手段」を備えるものとすることは、当業者が格別の創意工夫を要することなく容易になし得ることである。
　次に、相違点(い)について検討すると、
　ディジタル方式のファクシミリ放送信号を受信し、データ処理を行うデータ処理手段と、前記処理データが制御信号データか画像信号の圧縮データかを判別するデータ判別手段と、前記画像信号の圧縮データを復号して画像信号に変換処理する受画処理手段とを備えたファクシミリ放送受信機は当業者に周知であり（必要であれば、特開平２−２８８４５９号公報）、また、復号された画像信号を映像信号に変換する表示制御手段を設けて、復号された画像信号をディスプレイ手段に表示する技術は、例示するまでもなく当業者に周知のことであるから、引用例１に記載された発明において、「前記受信手段で受信した信号のデータ処理を行うデータ処理手段と、前記処理データが制御信号データか画像信号の圧縮データかを判別するデータ判別手段と、前記画像信号の圧縮データを復号して画像信号に変換処理する受画処理手段」を設けて「ディジタル方式のファクシミリ放送信号」を受信できるようにし、また、「前記復号された画像信号を映像信号に変換する表示処理手段」を備えるようにすることは、当業者が格別の創意工夫を要することなく容易になし得ることである。
　次に、相違点(う)について検討すると、
　引用例２には、文字放送受信機ではあるが、予約指定した番組データが到来したとき、その番組データを選択的に取り込み、データメモリに記憶し、記憶された複数の番組の中から印字する番組を選択して印字する発明が記載されており（上記２(7)〜（１０）参照）、また、制御信号データから番組番号、ページ番号等を検出するための信号処理を行う制御信号処理手段を設け、前記制御信号処理手段により検出された番組番号が前記予約登録された番組の予約データと一致するときは、当該番組のデータを記憶手段に記憶するような構成は、当業者に周知の構成にすぎず（必要であれば、前記特開平２−２８８４５９号公報参照）、更には、記憶手段に記憶された複数のデータを選択して出力、表示、削除等の各種処理を行う場合には、表示手段に表示した案内画面を用いることが当業者に周知であり（必要であれば、特開平２−１８９０６８号公報、特開平２−２９１６０号公報参照）、また、予約登録された複数の番組をどのような順でプリントアウトするかは当業者が適宜選択し得る設計的事項にすぎないから、前記各周知技術、及び設計的事項を斟酌すれば、引用例１に記載された発明において、「前記制御信号データから番組番号、ページ番号等を検出するための信号処理を行う制御信号処理手段」と、「前記受信手段で受信したディジタル方式のファクシミリ放送データを記憶するための第３の記憶手段」を備えるものとし、「前記制御信号処理手段により検出された番組番号が前記予約登録された番組の予約データと一致するときは、当該番組のデータを前記第３の記憶手段に記憶し、前記読出用案内画面で選択して前記第３の記憶手段から読出し指示された番組を前記ディスプレイ画面に表示するようにする」ことは、当業者が格別の創意工夫を要することなくなし得ることである。
　次に、相違点(え)について検討すると、受信した信号のデータ処理を行うデータ処理手段に対する制御指示、データ記憶手段に対する制御指示等を制御部を用いて行うこと、及び制御部から制御信号を出力するように指示するために信号入力手段を設けることは、当業者に周知の構成にすぎないから、引用例１に記載された発明において、前記各記憶手段、及び各処理手段を備えるものとした場合に、「前記各記憶手段と各処理手段に対する制御指示を行う制御部と、前記制御部から制御信号を出力するように指示する信号を入力するための信号入力手段」を備えるものとすることは、当業者が格別の創意工夫を要することなくなし得ることである。
　そして、本願発明の構成によりもたらされる効果も引用例１、２、及び周知技術から当業者が容易に予測し得る程度のものであり、格別のものではない。
４　むすび
　以上のとおりであるから、本願発明は、引用例１、２に記載された発明、及び周知技術に基いて当業者が容易に発明をすることができたものと認められるので、特許法第２９条第２項の規定により、特許を受けることができない。
　よって、結論のとおり審決する。